(57)【要約】【課題】複数の光源を備える発光装置へ供給される電源電圧の不足時に点灯光源数を減らすことにより、発光装置が非発光となる事態を防止することができる光源診断装置、表示装置、及び表示装置の起動方法を提供する。【解決手段】マイコン１０は、複数の光源１４−１，１４−２，…，１４−Ｎを備えるバックライト装置１４（発光装置）に供給される電源電圧を検出し、検出された電源電圧が基準電圧より低い場合に複数の光源１４−１，１４−２，…，１４−Ｎのうちの少なくとも一の光源を非点灯に制御する。これにより、バックライト装置１４が発光するために必要な電力を下げることができ、供給される電源電圧が基準電圧よりも低くなった場合であっても、バックライト装置１４を発光させることができる。【選択図】図１
2008016326.tif 000002
【特許請求の範囲】
【請求項１】
複数の光源を備える発光装置の状態を診断する光源診断装置において、
前記発光装置に供給される電力の異常を検知する異常検知手段と、
該異常検知手段にて異常を検知した場合に前記複数の光源のうちの少なくとも一の光源を非点灯に制御する制御手段と
を備えることを特徴とする光源診断装置。
【請求項２】
複数の光源を備える発光装置の状態を診断する光源診断装置において、
前記発光装置に供給される電源電圧を検出する検出手段と、
該検出手段によって検出された電源電圧と基準電圧とを比較する比較手段と、
前記電源電圧が前記基準電圧より低い場合に前記複数の光源のうちの少なくとも一の光源を非点灯に制御する制御手段と
を備えることを特徴とする光源診断装置。
【請求項３】
複数の光源を備える発光装置と、該発光装置から出射された光の量を制御する光量制御部とを備え、該光量制御部の制御によって映像を表示する表示装置において、
前記発光装置に供給される電力の異常を検知する異常検知手段と、
該異常検知手段にて異常を検知した場合に前記複数の光源のうちの少なくとも一の光源を非点灯に制御する制御手段と
を備えることを特徴とする表示装置。
【請求項４】
複数の光源を備える発光装置と、該発光装置から出射された光の量を制御する光量制御部とを備え、該光量制御部の制御によって映像を表示する表示装置において、
前記発光装置に供給される電源電圧を検出する検出手段と、
該検出手段によって検出された電源電圧と基準電圧とを比較する比較手段と、
前記電源電圧が前記基準電圧より低い場合に前記複数の光源のうちの少なくとも一の光源を非点灯に制御する制御手段と
を備えることを特徴とする表示装置。
【請求項５】
前記電源電圧が前記基準電圧より低い場合に、電源電圧不足であることを報知する報知手段を備えること
を特徴とする請求項４に記載の表示装置。
【請求項６】
前記報知手段は、
前記電源電圧が前記基準電圧より低い場合に、電源電圧不足の要因をさらに報知するようにしてあること
を特徴とする請求項５に記載の表示装置。
【請求項７】
前記報知手段は、
前記制御手段によって非点灯に制御されなかった光源の対応位置にメッセージを表示するようにしてあること
を特徴とする請求項５又は請求項６に記載の表示装置。
【請求項８】
前記光量制御部は、
２つの基板の間に注入されている異方性誘電率を有する液晶層に電界を印加し、印加された電界の強さを調節して前記基板を透過する光量を調節すること
を特徴とする請求項３乃至請求項７のいずれか１つに記載の表示装置。
【請求項９】
複数の光源を備える発光装置と、該発光装置から出射された光の量を制御する光量制御部とを備え、該光量制御部の制御によって映像を表示する表示装置の起動方法において、
前記光量制御部への電源電圧投入後に前記発光装置へ電源電圧を投入し、
前記発光装置に供給される電源電圧を検出し、検出された電源電圧と基準電圧とを比較し、前記電源電圧が前記基準電圧より低い場合に前記複数の光源のうちの少なくとも一の光源を非点灯に制御すること
を特徴とする表示装置の起動方法。
【発明の詳細な説明】
【技術分野】
【０００１】
本発明は、複数の光源を備える発光装置の状態を診断する光源診断装置、該光源診断装置を搭載した表示装置、及び表示装置の起動方法に関する。
【背景技術】
【０００２】
液晶表示装置は、小型、薄型、低消費電力を特徴とし、近年ではその表示品位の向上により、従来のＣＲＴに替わるディスプレイとして普及しつつある。液晶表示装置は、自己発光型のデバイスとは異なり、光源としての発光装置（バックライト装置）を必要とし、液晶層の電気光学特性により決定される光透過率を制御して映像を表示する。
【０００３】
ところで、液晶表示装置はＣＲＴ型表示装置と比較して低消費電力ではあるが、大画面の液晶表示装置では、搭載されるバックライト装置も大型化し、液晶パネル自体の消費電力は低いが、バックライト装置の消費電力が大きくなる。例えば、バックライト装置における消費電力は、液晶表示装置全体の供給電力の７割以上を占めるとされている。
【０００４】
したがって、電源コードの蛸足配線及び電源コンセントへの接触不良などによって、供給電力（供給電圧）が不足してバックライト装置が非発光となる状況が発生する。そこで、図８に示すように、例えば、表示装置１００の前面キャビネット１０１にＬＥＤなどの小型の報知用ランプ１０２を設け、不具合が発生した場合に報知用ランプ１０２を点灯／点滅させることによって、不具合の発生をユーザに報知していた（例えば、特許文献１参照。）。
【特許文献１】特開平１１−１１２９１２号公報
【発明の開示】
【発明が解決しようとする課題】
【０００５】
しかしながら、特許文献１に開示の技術では、報知用ランプの点灯／点滅状態から、その状態に対応する内容を説明書から探し出さなければ、ユーザは不具合要因を認知できない。したがって、電源コードの蛸足配線による電圧降下が不具合要因であった場合でも、ユーザはサービス業者に修理依頼を申し出ない限り、適切な処理を施すことが極めて困難であった。
【０００６】
また、発光装置への供給電力の不足した場合、光源が非点灯となることから、発光装置が故障したのではとのユーザ心理が働く。したがって、電源コードの蛸足配線及び電源コンセントへの接触不良などの些細な不具合要因であったとしても、ユーザは事態を深刻に考えてしまうという問題があった。場合によっては、重大な故障であるとユーザ自身が誤判断し、商品を廃棄して買い替える場合も考えられる。
【０００７】
本発明は斯かる事情に鑑みてなされたものであり、複数の光源を備える発光装置へ供給される電源電圧の不足時に点灯光源数を減らすことにより、発光装置が非発光となる事態を防止することができる光源診断装置、該光源診断装置を搭載した表示装置、及び表示装置の起動方法の提供を目的とする。
【０００８】
また本発明は、発光装置へ供給される電源電圧の不足時に、電源電圧が不足している旨の報知を行なうことにより、ユーザは発光装置へ供給される電源電圧が不足していることを把握することができる表示装置の提供を目的とする。
【０００９】
さらに本発明は、発光装置へ供給される電源電圧の不足時に、電源電圧不足の要因の報知を行なうことにより、ユーザが不具合要因を認知することができる表示装置の提供を目的とする。
【００１０】
さらにまた本発明は、非点灯に制御されなかった光源の対応位置に、つまり、点灯している光源の対応位置にメッセージを表示することにより、正常な動作状態でなくても、ユーザが不具合の状態、不具合要因などを容易に認知することができる表示装置の提供を目的とする。
【課題を解決するための手段】
【００１１】
本発明に係る光源診断装置は、複数の光源を備える発光装置の状態を診断する光源診断装置において、前記発光装置に供給される電力の異常を検知する異常検知手段と、該異常検知手段にて異常を検知した場合に前記複数の光源のうちの少なくとも一の光源を非点灯に制御する制御手段とを備えることを特徴とする。
【００１２】
本発明にあっては、複数の光源を備える発光装置に供給される電力の異常を検知し、電力の異常を検知した場合に複数の光源のうちの少なくとも一の光源を非点灯に制御する。これにより、発光装置が発光するために必要な電力を下げることができ、正常時よりも少ない電力で発光装置を発光させることができる。
【００１３】
本発明に係る光源診断装置は、複数の光源を備える発光装置の状態を診断する光源診断装置において、前記発光装置に供給される電源電圧を検出する検出手段と、該検出手段によって検出された電源電圧と基準電圧とを比較する比較手段と、前記電源電圧が前記基準電圧より低い場合に前記複数の光源のうちの少なくとも一の光源を非点灯に制御する制御手段とを備えることを特徴とする。
【００１４】
本発明にあっては、複数の光源を備える発光装置に供給される電源電圧を検出し、検出された電源電圧が基準電圧より低い場合に複数の光源のうちの少なくとも一の光源を非点灯に制御する。これにより、発光装置が発光するために必要な電力を下げることができ、供給される電源電圧が基準電圧よりも低くなった場合であっても、発光装置を発光させることができる。
【００１５】
本発明に係る表示装置は、複数の光源を備える発光装置と、該発光装置から出射された光の量を制御する光量制御部とを備え、該光量制御部の制御によって映像を表示する表示装置において、前記発光装置に供給される電力の異常を検知する異常検知手段と、該異常検知手段にて異常を検知した場合に前記複数の光源のうちの少なくとも一の光源を非点灯に制御する制御手段とを備えることを特徴とする。
【００１６】
本発明にあっては、複数の光源を備える発光装置に供給される電力の異常を検知し、電力の異常を検知した場合に複数の光源のうちの少なくとも一の光源を非点灯に制御する。これにより、発光装置が発光するために必要な電力を下げることができ、正常時よりも少ない電力で発光装置を発光させ、発光装置から出射された光の量を制御して映像を表示することができる。
【００１７】
本発明に係る表示装置は、複数の光源を備える発光装置と、該発光装置から出射された光の量を制御する光量制御部とを備え、該光量制御部の制御によって映像を表示する表示装置において、前記発光装置に供給される電源電圧を検出する検出手段と、該検出手段によって検出された電源電圧と基準電圧とを比較する比較手段と、前記電源電圧が前記基準電圧より低い場合に前記複数の光源のうちの少なくとも一の光源を非点灯に制御する制御手段とを備えることを特徴とする。
【００１８】
本発明にあっては、複数の光源を備える発光装置に供給される電源電圧を検出し、検出された電源電圧が基準電圧より低い場合に複数の光源のうちの少なくとも一の光源を非点灯に制御する。これにより、発光装置が発光するために必要な電力を下げることができ、供給される電源電圧が基準電圧よりも低くなった場合であっても、発光装置を発光させ、発光装置から出射された光の量を制御して映像を表示することができる。
【００１９】
本発明に係る表示装置は、前記電源電圧が前記基準電圧より低い場合に、電源電圧不足であることを報知する報知手段を備えることを特徴とする。
【００２０】
本発明にあっては、発光装置に供給される電源電圧が基準電圧より低い場合に電源電圧不足であることを報知する。これにより、発光装置へ供給される電源電圧が不足していることをユーザに把握させることができる。
【００２１】
本発明に係る表示装置は、前記報知手段が、前記電源電圧が前記基準電圧より低い場合に、電源電圧不足の要因をさらに報知するようにしてあることを特徴とする。
【００２２】
本発明にあっては、発光装置に供給される電源電圧が基準電圧より低い場合に電源電圧不足の要因を報知する。これにより、発光装置へ供給される電源電圧不足の不具合要因をユーザに認知させることができる。
【００２３】
本発明に係る表示装置は、前記報知手段が、前記制御手段によって非点灯に制御されなかった光源の対応位置にメッセージを表示するようにしてあることを特徴とする。
【００２４】
本発明にあっては、非点灯に制御されなかった光源の対応位置にメッセージを表示する。これにより、正常な動作状態でなくても、不具合の状態、不具合要因などを容易にユーザに認知させることができる。メッセージが表示されるので、ユーザは不具合要因を容易に把握することができる。
【００２５】
本発明に係る表示装置は、前記光量制御部が、２つの基板の間に注入されている異方性誘電率を有する液晶層に電界を印加し、印加された電界の強さを調節して前記基板を透過する光量を調節することを特徴とする。
【００２６】
本発明にあっては、２つの基板の間に注入されている異方性誘電率を有する液晶層に電界を印加し、印加された電界の強さを調節して光量を調節する。つまり、光量制御部として液晶デバイスを用いることができる。
【００２７】
本発明に係る表示装置の起動方法は、複数の光源を備える発光装置と、該発光装置から出射された光の量を制御する光量制御部とを備え、該光量制御部の制御によって映像を表示する表示装置の起動方法において、前記光量制御部への電源電圧投入後に前記発光装置へ電源電圧を投入し、前記発光装置に供給される電源電圧を検出し、検出された電源電圧と基準電圧とを比較し、前記電源電圧が前記基準電圧より低い場合に前記複数の光源のうちの少なくとも一の光源を非点灯に制御することを特徴とする。
【００２８】
本発明にあっては、先ず、発光装置への電源電圧投入前に、発光装置から出射された光の量を制御するための光量制御部へ電源電圧を投入する。次に、発光装置へ電源電圧を投入し、発光装置に供給される電源電圧を検出する。そして、検出された電源電圧と基準電圧とを比較し、電源電圧が基準電圧より低い場合に、発光装置を構成する複数の光源のうちの少なくとも一の光源を非点灯に制御する。
【発明の効果】
【００２９】
本発明によれば、複数の光源を備える発光装置に供給される電力の異常を検知し、電力の異常を検知した場合（例えば、供給される電源電圧が基準電圧よりも低くなった場合）には、発光させる光源数を減らして発光装置の発光に必要な電力を下げることができることから、電源電圧が不足した場合であっても、発光装置を発光させることができる。
【００３０】
本発明によれば、発光装置に供給される電源電圧が基準電圧より低い場合に電源電圧が不足していることを報知することから、発光装置へ供給される電源電圧が不足していることをユーザに把握させることができる。
【００３１】
本発明によれば、発光装置に供給される電源電圧が基準電圧より低い場合に電源電圧不足の要因を報知することから、発光装置へ供給される電源電圧が不足した不具合要因をユーザに認知させることができる。
【００３２】
本発明によれば、非点灯に制御されなかった光源の対応位置にメッセージを表示することから、正常な動作状態でなくても、不具合の状態、不具合要因などを容易にユーザに認知させることができる。
【００３３】
したがって、ユーザ自身が不具合要因を認知した上で、不具合を解消するための対策を行なうことができる。例えば、電源コードの蛸足配線による電圧降下が不具合要因であった場合には、サービス業者に修理依頼をするまでもなく、適切な処理をユーザ自身で行なうことが可能である。換言すれば、些細な不具合による修理依頼をサービス業者が受任することを削減することが可能である。
【００３４】
また、電源コードの蛸足配線及び電源コンセントへの接触不良などの些細な不具合要因により発光装置へ供給される電源電圧が不足した場合でも、光源数が正規の数より少なくなるが、少ない光源数で点灯されることから、発光装置が故障したわけではないとユーザに安心感を与えることができる。したがって、重大な故障であるとの誤判断を防止して、商品の廃棄及び買い替えなどの抑制が可能である等、優れた効果を奏する。
【発明を実施するための最良の形態】
【００３５】
以下、本発明をその実施の形態を示す図面に基づいて詳述する。
【００３６】
図１は本発明に係る光源診断装置を搭載した表示装置の構成例を示すブロック図である。
本発明に係る光源診断装置を搭載した表示装置は、マイコン１０、ＲＯＭ１１、電源供給回路１２、バックライト制御回路１３、発光装置（バックライト装置）１４、液晶パネル制御回路２０及び液晶パネル２１を備えている。なお、同図一点鎖線で示した領域内の構成要素が本発明に係る光源診断装置に相当する。
【００３７】
ＲＯＭ１１には、本発明に係るメッセージ情報１１ａが格納されている。メッセージ情報１１ａとは、バックライト装置１４に生じている不具合の内容を示す不具合情報、その不具合の要因を示す要因情報、不具合を解消するための対処方法を示す対処情報などであり、例えば、不具合情報は「電源電圧が基準電圧より低くなっている可能性があります。」、不具合要因情報は「考えられる要因として、電源コードの蛸足配線、電源コンセントへの接触不良があります。」、対処情報は「電源コードの接続状態を確認して下さい。」である。
【００３８】
電源供給回路１２は、商用交流コンセントから電力を受け、表示装置を構成する各ユニットに適合する電圧に変換し、各ユニットに供給するものである。例えば、コンバータ回路を内蔵しており、商用交流電圧を、各ユニットに応じて直流電圧に変換したり、電圧値を各ユニットに応じて所定電圧値に変換する。
【００３９】
バックライト装置１４は、複数の光源１４−１，１４−２，…，１４−Ｎから構成された直射型の発光装置である。光源１４−１，１４−２，…，１４−Ｎは、例えば、寿命が長く自然光に近い白色光が発光され、発生する熱が小さい冷陰極線放電管（ＣＣＦＬ）を用いる。例えば、図２に示すように、内側に反射板が設けられたシャーシ５１に、直管型のＣＣＦＬ１４−１，１４−２，…，１４−Ｎを一方向に並置したものであり、好ましくは、前面に各種の光学シート（拡散シート、プリズムシートなど）を設けて発光特性が調整されている。
【００４０】
バックライト制御回路１３は、点灯制御信号によりバックライト装置１４への電源電圧の供給を制御し、バックライト装置１４の発光を制御する。本発明では、バックライト装置１４の各光源１４−１，１４−２，…，１４−Ｎを独立して点灯及び消灯できるように、各光源１４−１，１４−２，…，１４−Ｎへの電力供給を制御するためのスイッチング部１３ａを備えている。
【００４１】
スイッチング部１３ａは、図３に示すように、各光源１４−１，１４−２，…，１４−Ｎのそれぞれの供給ラインにスイッチ１３ａ−１，１３ａ−２，…，１３ａ−Ｎが設けられており、このスイッチ１３ａ−１，１３ａ−２，…，１３ａ−Ｎのオン／オフを制御することによって、各光源１４−１，１４−２，…，１４−Ｎを独立して点灯及び消灯する。このような構成とすることにより、電源電圧正常時には、全光源１４−１，１４−２，…，１４−Ｎにバックライト制御回路１３から電力が供給されるが（図４（ａ））、電源電圧異常時（電源電圧不足時）には、光源１４−１にのみバックライト制御回路１３から電力が供給される（図４（ｂ））。電源電圧不足時に点灯させる光源の本数については、一本に限定されるものではなく、少なくとも一の光源を非点灯とすることが本発明の主旨である。
【００４２】
液晶パネル２１は、二つの基板の間に注入されている異方性誘電率を有する液晶層に電圧（電界）を印加し、この電界の強さを調節して基板を透過する光量を調節することによって映像を表示する。液晶パネル２１はフラットパネル型ディスプレイのうちの代表的なキーデバイスの１つであり、通常はスイッチング素子として薄膜トランジスタ（ＴＦＴ）を用いる。
【００４３】
液晶パネル制御回路２０は、映像信号に基づいて、ゲート信号及びデータ信号を生成し、ゲート信号及びデータ信号を液晶パネル２１に与えることによって液晶パネル２１の駆動を制御する。液晶層の光透過率は、液晶層に印加される電圧であるデータ信号によって決定される。例えば、液晶パネル２１がノーマリーブラックモードである場合には、液晶層に印加する電圧を高くすることによって透過率は高くなり、液晶パネル２１がノーマリーホワイトモードである場合には、液晶層に印加する電圧を高くすることによって透過率は低くなる。
【００４４】
マイコン１０は、バックライト装置１４へ供給される電力を検知する異常検知手段として機能する。本例では、電源供給回路１２からバックライト装置１４へ供給される電源電圧を検出する検出手段、及び検出された電源電圧と基準電圧とを比較する比較手段として機能し、検出した電源電圧に基づいて、バックライト装置を構成する光源の点灯本数を変更する。
【００４５】
ここでのポイントは、表示装置への供給電力の７割以上がバックライト装置１４へ供給させることから、バックライト装置１４へ供給される電源電圧の異常を検知することによって、バックライト装置、つまり表示装置への供給電力の異常を検知することにある。
【００４６】
具体的には、マイコン１０は、バックライト装置１４へ供給されるべき電源電圧の基準値としての基準電圧が記憶された図示しないＲＯＭを内蔵しており、検出された電源電圧と基準電圧とを比較して、検出された電源電圧が基準電圧より低い場合にバックライト装置１４に供給される電力に異常が発生していると判定する。なお、ＲＯＭ１１に基準電圧に関する情報を格納しておき、ＲＯＭ１１から基準電圧に関する情報を適宜読み出すようにしてもよい。
【００４７】
また、マイコン１０は、バックライト装置１４に供給される電力に異常が発生している場合に、複数の光源１４−１，１４−２，…，１４−Ｎのうちの少なくとも一の光源を非点灯に制御する制御手段として機能する。例えば、電力に異常が発生している場合、点灯させる光源の本数を１本に変更させる。
【００４８】
さらに、マイコン１０は、バックライト制御回路１３における制御電流を検出し、検出した制御電流が所定範囲の電流値であるか否かによりバックライト制御回路１３の制御電流の正常／異常を判定する機能を有する。
【００４９】
図５及び図６は本発明に係る表示装置における起動方法の処理手順を示すフローチャートである。なお、処理手順は一例であってこれに限るものではない。また、このような処理手順は制御プログラムをＲＯＭ１１に組み込んでおくことにより行なうことができる。
【００５０】
先ず、ユーザにより表示装置の起動処理の開始が指示されると（ステップＳ１）、バックライト制御回路１３以外のユニットの電源をオンする（ステップＳ２）。なお、本例では、バックライト制御回路１３以外のユニットとは液晶パネル制御回路２０に相当し、液晶パネル制御回路２０の電源をオンしてゲート信号及びデータ信号を生成し、ゲート信号及びデータ信号を液晶パネル２１に与えることによって液晶パネル２１を駆動する。
【００５１】
バックライト制御回路１３以外のユニットの電圧（液晶パネル制御回路２０の電圧）が正常であるか否かを判定し（ステップＳ３）、バックライト制御回路１３以外のユニットの電圧（液晶パネル制御回路２０の電圧）が異常である場合（Ｓ３：ＮＯ）、バックライト制御回路１３以外のユニットの電源をオフ（液晶パネル制御回路２０の電源をオフ）し、報知用ランプを点灯／点滅させる（ステップＳ４）。
【００５２】
報知用ランプは、例えば、表示装置の前面キャビネットに配置されたＬＥＤなどの小型ランプであり、この報知用ランプを点灯／点滅させることによって、バックライト制御回路１３以外のユニットの電圧（液晶パネル制御回路２０の電圧）が異常であることをユーザに報知させる。なお、この報知用ランプの点灯／点滅による異常の報知は従来のものと同様である（以下、同様）。
【００５３】
一方、バックライト制御回路１３以外のユニットの電圧が正常である場合（Ｓ３：ＹＥＳ）、バックライト制御回路１３の電源をオンし（ステップＳ５）、バックライト装置１４を構成する光源１４−１，１４−２，…，１４−Ｎを点灯させ、バックライト装置１４へ供給される電源電圧Ｖｄを検出する（ステップＳ６）。そして、バックライト装置１４へ供給される電源電圧Ｖｄと基準電圧Ｖｔｈとを比較し、電源電圧Ｖｄが正常値であるか否かを判定する（ステップＳ７）。
【００５４】
バックライト装置１４へ供給される電源電圧Ｖｄが基準電圧Ｖｔｈより高い場合、バックライト装置１４へ供給される電源電圧Ｖｄが正常値であると判断し（Ｓ７：ＹＥＳ）、次にバックライト制御回路１３の制御電流が正常であるか否かを判定する（ステップＳ８）。Ｓ８の判定では、制御電流が所定範囲の電流値であるか否かにより制御電流の正常／異常を判定する。
【００５５】
バックライト制御回路１３の制御電流が異常である場合（Ｓ８：ＮＯ）、バックライト制御回路１３の電源をオフし、報知用ランプを点灯／点滅させる（ステップＳ９）。一方、バックライト制御回路１３の制御電流が正常である場合（Ｓ８：ＹＥＳ）、表示装置が正常に起動したと判断し、表示装置の起動処理を正常終了する（ステップＳ１０）。
【００５６】
バックライト装置１４へ供給される電源電圧Ｖｄが基準電圧Ｖｔｈより低い場合、バックライト装置１４へ供給される電源電圧Ｖｄが異常である（正常値でない）と判断し（Ｓ７：ＮＯ）、バックライト装置１４を構成する光源のうち、点灯させる光源の本数を１本に変更して、表示装置を再起動させる（ステップＳ１１）。そして、再度、バックライト装置１４へ供給される電源電圧Ｖｄを検出し、バックライト装置１４へ供給される電源電圧Ｖｄが基準電圧Ｖｔｈより低いか否かによってバックライト装置１４へ供給される電源電圧Ｖｄが正常であるか否かを判定する（ステップＳ１２）。
【００５７】
バックライト装置１４へ供給される電源電圧Ｖｄが基準電圧Ｖｔｈより低い、つまり、バックライト装置１４へ供給される電源電圧Ｖｄが異常である場合（Ｓ１２：ＮＯ）、バックライト制御回路１３の電源をオフし、報知用ランプを点灯／点滅させる（ステップＳ１３）。
【００５８】
一方、バックライト装置１４へ供給される電源電圧Ｖｄが基準電圧Ｖｔｈより高い、つまり、バックライト装置１４へ供給される電源電圧Ｖｄが正常である場合（Ｓ１２：ＹＥＳ）、点灯させる光源の本数を１本の状態で、不具合情報・不具合要因情報・対処情報を表示する（ステップＳ１４）。
【００５９】
Ｓ１２にて電源電圧Ｖｄが正常であると判定されたのは、あくまで、バックライト装置１４を構成する光源のうち、点灯させる光源の本数を１本に変更させたために電源電圧Ｖｄが正常になったためである。点灯させる光源の本数が正規の数であれば、バックライト装置１４へ供給される電源電圧Ｖｄは基準電圧Ｖｔｈより低くなる、つまり、バックライト装置１４へ供給される電源電圧が異常になることから、その旨をユーザに報知すべく不具合情報・不具合要因情報・対処情報を表示する。
【００６０】
不具合情報・不具合要因情報・対処情報を表示により報知する場合、図７に示すように、点灯している光源１４−１に対応する液晶パネル２１の領域Ｒに「不具合情報・不具合要因情報・対処情報」を表示する。不具合情報・不具合要因情報・対処情報は、ＲＯＭ１１に格納されているメッセージ情報１１ａを読み出すことにより得られる。
【００６１】
上述した如く、バックライト装置１４への供給電力が異常である場合は、非点灯に制御されなかった光源、つまり点灯している光源１４−１の対応する液晶パネル２１の領域Ｒにメッセージが表示されることから、不具合情報・不具合要因情報・対処情報を容易にユーザに認知させることができる。このように、電源コードの蛸足配線による電圧降下が不具合要因である場合、ユーザは、メッセージによって、不具合の状態、不具合要因、対処方法を把握することができ、サービス業者に修理依頼をすることなく、メッセージに基づいて適切な処理を施すことができる。
【００６２】
なお、本実施の形態では、バックライト装置１４に供給される電力に異常が発生している場合に、複数の光源１４−１，１４−２，…，１４−Ｎのうちの光源１４−１のみを点灯させる形態を示したが、点灯本数を２本、３本、（Ｎ−１）本などであってもよく、状況に応じて少なくとも一の光源を非点灯に制御すればよい。つまり、不具合情報・不具合要因情報・対処情報を表示するためには、バックライト装置１４が発光している必要があることから、規定の電力が供給されていない場合であっても、点灯本数を削減して少なくとも一の光源を点灯させる。
【００６３】
また、本実施の形態では、光源が発光菅の一形態であるＣＣＦＬとしたが、他の発光管であってもよいし、またＬＥＤなどの光源であってもよく、複数の光源からバックライト装置が構成されていればよく、光源の種類について限定されるものではない。
【図面の簡単な説明】
【００６４】
【図１】本発明に係る光源診断装置を搭載した表示装置の構成例を示すブロック図である。
【図２】バックライト装置を示す斜視図である。
【図３】スイッチング部の構成例を示すブロック図である。
【図４】スイッチング部の動作を説明するための図である。
【図５】本発明に係る表示装置における起動方法の処理手順を示すフローチャートである。
【図６】本発明に係る表示装置における起動方法の処理手順を示すフローチャートである。
【図７】不具合情報・不具合要因情報・対処情報の報知方法を説明するための図である。
【図８】従来の異常報知方法を説明するための図である。
【符号の説明】
【００６５】
１０  マイコン
１１  ＲＯＭ
１１ａ  メッセージ情報
１２  電源供給回路
１３  バックライト制御回路
１３ａ  スイッチング部
１３ａ−１，１３ａ−２，…，１３ａ−Ｎ  スイッチ
１４  バックライト装置（発光装置）
１４−１，１４−２，…，１４−Ｎ  光源（ＣＣＦＬ）
２０  液晶パネル制御回路
２１  液晶パネル
【図１】
2008016326.tif 000003
【図２】
2008016326.tif 000004
【図３】
2008016326.tif 000005
【図４】
2008016326.tif 000006
【図５】
2008016326.tif 000007
【図６】
2008016326.tif 000008
【図７】
2008016326.tif 000009
【図８】
2008016326.tif 000010